(57)【要約】【課題】孔部とドレンとの接合面に向けての通水をなくして漏水を防止する漏水防止型ドレンを提供すること。【解決手段】管状のドレン本体２１、２３と、ドレン本体の外側面に設けられたパッキンとを備える漏水防止型ドレン２を提供する。パッキンを水膨張性シーリング部材２２とし、ドレン本体内２１の水を水膨張性シーリング部材に向けて送水する送水孔１１ａを備える漏水防止型ドレン２としてもよい。特に、湾曲部２３ｂの先端に水膨張性シーリング部材２２を設けると効果的である。【選択図】図２
2019210761.tif 000002
【特許請求の範囲】
【請求項１】
板状の建物面に設けられた孔部に挿入され、前記建物面の一側の水を他側に排出するドレンであって、
管状のドレン本体と、
前記ドレン本体の外側面に設けられたパッキンとを備えることを特徴とする、漏水防止型ドレン。
【請求項２】
前記パッキンは水膨張性シーリング部材であり、
前記ドレン本体は、前記パッキンに接する箇所において、前記ドレン本体内の水を前記パッキンに向けて送水する送水孔を備えることを特徴とする、請求項１に記載の漏水防止型ドレン。
【請求項３】
前記ドレン本体は、湾曲部を有し、
前記パッキンは、前記湾曲部に対して先端の側に設けられることを特徴とする、請求項１又は２に記載の漏水防止型ドレン。
【発明の詳細な説明】
【技術分野】
【０００１】
本発明は、漏水を防止した漏水防止型ドレンに関する。
【背景技術】
【０００２】
屋上などから雨水を排水するために、ドレンが用いられる（例えば特許文献１参照）。ここで、大雨の時等には、十分な排水ができず、ドレンを貫通される建物面（壁面）に設けられた孔部とドレンとの接合面が剥がれ、そこから漏水してしまうことがある。
【０００３】
かかる漏水を防止するためには、孔部とドレンとの接合面に向けての通水をなくせばよいが、そのようなものは知られていなかった。
【先行技術文献】
【特許文献】
【０００４】
【特許文献１】特開２０１６−１０３１７８号公報
【発明の開示】
【発明が解決しようとする課題】
【０００５】
本発明は、孔部とドレンとの接合面に向けての通水をなくして漏水を防止する漏水防止型ドレンを提供することを課題とする。
【課題を解決するための手段】
【０００６】
本発明の漏水防止型ドレンは、
板状の建物面に設けられた孔部に挿入され、前記建物面の一側の水を他側に排出するドレンであって、
管状のドレン本体と、
前記ドレン本体の外側面に設けられたパッキンとを備えることを特徴とする。
【０００７】
この特徴によれば、パッキンによって孔部とドレンとの接合面に向けての通水をなくして漏水を防止することができる。
【０００８】
本発明の漏水防止型ドレンは、
前記パッキンは水膨張性シーリング部材であり、
前記ドレン本体は、前記パッキンに接する箇所において、前記ドレン本体内の水を前記パッキンに向けて送水する送水孔を備えることを特徴とする。
【０００９】
この特徴によれば、水膨張性シーリング部材によって孔部とドレンとの接合面に向けての通水をなくして、漏水が防止することができる。漏水に至るまでの水位になる前に、孔部から水膨張性シーリング部材に送水され、水膨張性シーリング部材が膨張して漏水防止型ドレンを強固に固定する。
【００１０】
本発明の漏水防止型ドレンは、
前記ドレン本体は、湾曲部を有し、
前記パッキンは、前記湾曲部に対して先端の側に設けられることを特徴とする。
【００１１】
この特徴によれば、既設ドレンを残したままで、漏水防止型ドレンを設置し、漏水を防止することができる。
【発明の効果】
【００１２】
本発明によれば、孔部とドレンとの接合面に向けての通水をなくして漏水を防止する漏水防止型ドレンが提供される。
【図面の簡単な説明】
【００１３】
【図１】図１は、従来のドレンの問題点を説明する図である。
【図２】図２は、漏水防止型ドレンの使用状態を示す図である。
【図３】図３は、パイプ部分と水膨張性シーリング部材の詳細構造を示す図である。
【発明を実施するための形態】
【００１４】
まず、漏水の発生について、説明する。
【００１５】
図１は、従来のドレンの問題点を説明する図である。ドレン１（基端部分１１とパイプ部分１３からなるドレン本体及びストレーナキャップ１４を備える）が、建物面５の孔部５１に挿入され、建物面５の一側（図において右側）の水を他側に設けられた雨どい６に排出する。
【００１６】
建物面５（別面５ａを含む）には、防水シート５２が付設されており、建物面５は防水シート５２によって保護されている。管状のドレン本体に流入する水は、防水シート５２によって建物面５に接しないようになっている。
【００１７】
ここで、大雨等の場合、雨どい６内を水が逆流することがある。その際、ドレン本体のパイプ部分１３と雨どい６との間には空隙が存在するので、その空隙に水が流入する。
【００１８】
流入した水は、ドレン本体の基端部分１１孔部５１との接合部に達し、そこで止められる。しかし、何らかの理由（例えば経年劣化）により接合が不十分であると、その接合部から水が流出する。流出した水は防水シート５２の建物面５側に流れることとなり、建物面５を通って漏水してしまう。
【００１９】
なお、横引きドレン（図１（Ａ））、縦引きドレン（図１（Ｂ））のいずれでも、同様である。
【００２０】
以下、本発明の実施例について、説明する。
【実施例１】
【００２１】
図２は、漏水防止型ドレンの使用状態を示す図である。図１におけるドレン１からストレーナキャップ１４を除去し、そこに漏水防止型ドレン２を設置したものである。
【００２２】
漏水防止型ドレン２は、基端部分２１とパイプ部分２３からなるドレン本体及び水膨張性シーリング部材（パッキン）２２を備え、ストレーナキャップ２４等が付されている。
【００２３】
ドレン本体２１は、水を通す管状部材である。ドレン本体の水膨張性シーリング部材２２に接する箇所（本実施例ではパイプ部分２３）には、多数の送水孔２３ａが設けられている。
【００２４】
水膨張性シーリング部材１２は、パイプ部分２３とその外周の物とを接合するパッキンである。吸水して膨張する材質のものであり、吸水によって接合が強固になる。
【００２５】
漏水防止型ドレン２によれば、大雨などで水が逆流すると、送水孔２３ａを介して水膨張性シーリング部材２２に水が送られ、水膨張性シーリング部材２２が膨張して、パイプ部分２３と雨どい６との間の空隙を閉鎖する。これにより、漏水が防止される。
【００２６】
また、水が逆流しない時にも、特に多量な水がドレン本体を流れる逆流直前においては、送水孔２３ａを介して水膨張性シーリング部材２２に水が送られている。漏水がより確実に防止される。
【００２７】
なお、横引きドレン（図２（Ａ））、縦引きドレン（図２（Ｂ））のいずれでも、同様である。
【００２８】
ここで、水膨張性シーリング部材２２は、パイプ部分２３の先端付近（図２（Ａ）においては湾曲部２３ｂよりも先端側）に設けられている。既設ドレン１のパイプ部分１３よりから突出し、パイプ部分２３と雨どい６との間を封止するためである。
【００２９】
なお、既設のドレン１を完全に除去し（又は新規にドレンを設置し）、ドレン１を用いずに漏水防止型ドレン２のみを使用することもできる。その場合には、水膨張性シーリング部材２２を、ドレン本体の周縁の任意の箇所に設けることができる。
【００３０】
以上説明したように、本実施例の漏水防止型ドレン２によれば、水膨張性シーリング部材２２によって、パイプ部分２３と雨どい６との間の空隙が閉鎖され、漏水が防止される。
【実施例２】
【００３１】
本実施例は、漏水防止型ドレン２の詳細について説明するものである。漏水防止型ドレン２の構造は実施例１と同様である。横引きドレン（図２（Ａ））について説明する。
【００３２】
図３は、パイプ部分と水膨張性シーリング部材の詳細構造を示す図である。図２（Ａ）において拡大表示した箇所をより詳細に示したものである。
【００３３】
パイプ部分２３は、湾曲した雨どい６に挿入して湾曲部２３ｂを形成するため蛇腹形状であり、外周に蛇腹突起２３ｃが存在する。
【００３４】
水膨張性シーリング部材２２は、蛇腹突起２３ｃに合わせた形状で、パイプ部分２３の外周全体に接して設けられている。
【００３５】
送水孔２３ａは、蛇腹突起２３ｃのない箇所に設けられている。
【００３６】
水膨張性シーリング部材２２は、膨張前は図に実線で示したとおり雨どい６よりも十分に細く、パイプ部分２３を雨どい６に容易に挿入することができる。
【００３７】
吸水して膨張することで、図に点線で示したとおり雨どい６に密着し、パイプ部分２３と雨どい６との間の空隙が閉鎖して、漏水を防止する。
【００３８】
以上説明したように、本実施例の漏水防止型ドレン２は、蛇腹形状で湾曲可能なパイプ部分２３に水膨張性シーリング部材２２を設けることができる。
【実施例３】
【００３９】
本実施例は、漏水防止型ドレン２を設置する手順について説明するものである。漏水防止型ドレン２の構造は実施例１、２と同様である。
【００４０】
まず、既設のドレン１のうち、ドレン本体１１を除く部分（ストレーナキャップ１４等）を撤去する。かかる部分は、ドレン本体に着脱容易に設計されていることが多く、容易に撤去できる。
【００４１】
次に、建物面５の一側に、防水シート５２の上からマット４を敷設する。
【００４２】
次に、漏水防止型ドレン２を図の通りの箇所に配置する。すなわち、パイプ部分２３を既設ドレンのパイプ部分１３に挿入する。
【００４３】
その際、水膨張性シーリング部材２２は膨張しておらず、既設ドレンのパイプ部分１３を容易に通過する。
【００４４】
最後に、漏水防止型ドレン２の基端側をマット４に接着して設置が完了する。
【００４５】
以上説明したように、漏水防止型ドレン２によれば、既設のドレン１を交換することなく、漏水防止型ドレン２を追加設置することで、漏水を防止することができる。
【産業上の利用可能性】
【００４６】
孔部とドレンとの接合面に向けての通水をなくして漏水を防止する漏水防止型ドレンである。多くの建築業者による利用が期待される。
【符号の説明】
【００４７】
１      ドレン
１１    ドレン本体（基端部分）
１２    水膨張性シーリング部材
１３    ドレン本体（パイプ部分）
１４    ストレーナキャップ
２      漏水防止型ドレン
２１    ドレン本体（基礎部分）
２２    水膨張性シーリング部材
２３    ドレン本体（パイプ部分）
２３ａ  送水孔
２３ｂ  湾曲部
２３ｃ  蛇腹突起
２４    ストレーナキャップ
３      樹脂モルタル
４      マット
５      建物面
５１    孔部
５２    防水シート
６      雨どい
【図１】
2019210761.tif 000003
【図２】
2019210761.tif 000004
【図３】
2019210761.tif 000005
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
板状の建物面に設けられた孔部に挿入され、前記建物面の一側の水を他側に排出するドレンであって、
管状のドレン本体と、
前記ドレン本体の外側面に設けられたパッキンとを備え、
前記パッキンは水膨張性シーリング部材であり、
前記ドレン本体は、前記パッキンに接する箇所において、前記ドレン本体内の水を前記パッキンに向けて送水する送水孔を備えることを特徴とする、漏水防止型ドレン。
【請求項２】
前記ドレン本体は、湾曲部を有し、
前記パッキンは、前記湾曲部に対して先端の側に設けられることを特徴とする、請求項１に記載の漏水防止型ドレン。